(57)【要約】【課題】従来、雑誌の一般店頭の閲覧防止のために行われていた、書籍、雑誌を透明な風袋に入れたり、或いは書籍、雑誌等を結束する方法を大量に実施するためには、専用機械が必要であるが、これらの機械は操作が複雑で普通の人が機械を簡単に使用することが困難であっり、又専用機械も、風袋も高価であるため経済的な負担が大きいために、専用機械を簡単に設置することは困難である。【解決手段】本発明は、書籍、雑誌等を封印するための粘着テープを一定の量だけ送り出す粘着テープ送り出し機構と、粘着テープをカッターによりカットし書籍、雑誌等に接着させて書籍、雑誌等の表紙と裏表紙の間をコの字型に均一に貼り封印する封印手段とを具備した雑誌、書籍等を封印する装置を実現することにより従来の問題を解決したものである。【選択図】              図１
2006044738.tif 000002
【特許請求の範囲】
【請求項１】
書籍、雑誌等を封印するための粘着テープを一定の量だけ送り出す粘着テープ送り出し機構と、
粘着テープをカッターによりカットし書籍、雑誌等に接着させて書籍、雑誌等の表紙と裏表紙の間を封印する封印手段とを具備し、
書籍、雑誌等の表紙と裏表紙の間を粘着テープによりコの字型に均一に貼り封印することを特徴とする雑誌、書籍等を封印する装置。
【請求項２】
書籍、雑誌等を封印するための粘着テープを一定の量だけ送り出す粘着テープ送り出し機構と、
粘着テープをカットするカッターと粘着テープを書籍、雑誌等に接着させる上部押さえ金具と下部押さえ金具を有する封印機構と、を具備し粘着テープの先端を雑誌に添付しテープに張力を加えながらテープを切断するようにして書籍、雑誌等の表紙と裏表紙の間を粘着テープによりコの字型に均一に貼り封印することを特徴とする雑誌、書籍等を封印する装置。
【請求項３】
書籍、雑誌等を載置するテーブルと、
書籍、雑誌等を封印するための粘着テープを一定の量だけ送り出す粘着テープ送り出し機構と、
前記テーブル上に載置した書籍、雑誌等を動かないようにテーブル上に押圧固定するための押圧部材と、
粘着テープをカットするカッターと粘着テープを書籍、雑誌等に接着させる上部押さえ金具と下部押さえ金具を有する封印機構と、
該封印機構を前後に移動する駆動機構と、
を具備し、雑誌、書籍等が所定の位置に置かれたことを検出することにより封印機構を駆動機構により水平方向に移動させて、粘着テープの先端を雑誌に添付し粘着テープに張力を加えながらテープを切断するようにして書籍、雑誌等の表紙と裏表紙の間を粘着テープによりコの字型に均一に貼り封印することを特徴とする雑誌、書籍等を封印する装置。
【請求項４】
書籍、雑誌等を封印するための粘着テープを一定の量だけ送り出す粘着テープ送り出し機構、
バネ板により支持された押さえローラーと、ローラーの上部に配置された押さえ金具と、押さえ金具上部に配置されたカッターとを備えた封印機構、
両端が固定されたガイドロッドを持ち前記封印機構をガイドロッドに沿って水平方向に移動させるスライド機構、
その端部に雑誌、書籍等が所定の位置に置かれたことを検出する検出手段が設けられた雑誌、書籍等を載置するためのテーブル、
その基部を上下方向に回動できるようにした雑誌、書籍等をテーブル上に押圧固定するための押圧部材、
前記封印機構を前後に移動する駆動機構、
を具備し、前記テーブルの検出手段により雑誌、書籍等が所定の位置に置かれたことを検出することにより前記駆動機構を動作させて、テープの先端を雑誌に添付しテープに張力を加えながらテープを切断するようにして書籍、雑誌等の表紙と裏表紙の間を粘着テープによりコの字型に均一に貼り封印することを特徴とする雑誌、書籍等を封印する装置。
【請求項５】
書籍、雑誌等を載置するテーブルと、
書籍、雑誌等を封印するための粘着テープを一定の量だけ送り出す粘着テープ送り出し機構と、
前記テーブル上に載置した書籍、雑誌等を動かないようにテーブル上に押圧固定するための押圧部材と、
該押圧部材上に滑動できるように掛止され粘着テープをカットするカッターと粘着テープを書籍、雑誌等に接着させる上部押さえ金具と下部押さえ金具を有する封印機構と、
該封印機構を前記押圧部材上を前後の方向に滑動させる滑動機構と、
を具備し、雑誌、書籍等が所定の位置に置かれたことを検出することにより滑動機構を動作させて、粘着テープの先端を雑誌に添付し粘着テープに張力を加えながらテープを切断するようにして書籍、雑誌等の表紙と裏表紙の間を粘着テープによりコの字型に均一に貼り封印することを特徴とする雑誌、書籍等を封印する装置。
【請求項６】
書籍、雑誌等を封印するための粘着テープを一定の量だけ送り出す粘着テープ送り出し機構、
バネ板により支持された押さえローラーと、ローラーの上部に配置された押さえ金具と、押さえ金具上部に配置されたカッターとを備えた封印機構、
両端が固定されたガイドロッドを持ち前記封印機構をガイドロッドに沿って水平方向に移動させるスライド機構、
その端部に雑誌、書籍等が所定の位置に置かれたことを検出する検出手段が設けられた雑誌、書籍等を載置するためのテーブル、
前記封印機構の両側に対に配置され、その基部を上下方向に回動できるようにした雑誌、書籍等をテーブル上に押圧固定するための一対の押圧金具を持ち、前記封印機構が一対の押圧金具に沿って滑動できるように掛止される押圧部材、
往復作動杆を持ち前記封印機構を前後に移動する駆動機構、
を具備し、前記テーブルの検出手段により雑誌、書籍等が所定の位置に置かれたことを検出することにより前記駆動機構を動作させて、テープの先端を雑誌に添付しテープに張力を加えながらテープを切断するようにして書籍、雑誌等の表紙と裏表紙の間を粘着テープによりコの字型に均一に貼り封印することを特徴とする雑誌、書籍等を封印する装置。
【発明の詳細な説明】
【技術分野】
【０００１】
本発明は、書籍、雑誌等の表紙と裏表紙とを粘着テープにより封印する装置に関するものである。
本発明の雑誌、書籍等を封印する装置は、青少年に悪影響を与える写真や絵が掲載されている書籍、雑誌等（不健全図書等）の表紙と裏表紙を可擁性のある粘着テープにより封印して、店頭において容易に見られないようにするものである。
【背景技術】
【０００２】
最近、東京都や都道府県において青少年に悪影響を与える写真や絵が掲載されている書籍、雑誌等を店頭において容易に見られないような対策を施すことを義務付ける条例が制定された。
本発明は、この条例に対処するために開発されたもので、正面の封印部に書籍、雑誌等を挿入することにより表紙と裏表紙とを粘着テープにより自動的に封印して、容易に開けないようにするものである。
従来、雑誌の一般店頭の閲覧防止の方法として、書籍、雑誌全体を透明な風袋に入れたり、書籍、雑誌等を結束紐で1部を結束するなどして、店頭にて閲覧を阻止することが行われているが、現在では、これ以外の書籍、雑誌等の一般店頭の閲覧防止の有効な方法は実現されていない。
本願出願人は先に、粘着テープを使用した複数枚のプリント基板を貼着する装置を開発し、特許及び実用新案権を取得していおり、この技術を応用して上記の条例に対処するための雑誌、書籍等を封印する装置を開発したものである。
【０００３】
【特許文献１】実公平８−２０８４号公報，
【特許文献２】特開平１０−２１８１２６号公報，
【発明の開示】
【発明が解決しようとする課題】
【０００４】
従来、雑誌の一般店頭の閲覧防止のために行われていた、書籍、雑誌を透明な風袋に入れたり、或いは書籍、雑誌等を結束する方法を大量に実施するためには、専用機械が必要であるが、これらの機械は操作が複雑で普通の人が機械を簡単に使用することが困難であっり、又専用機械も、風袋も高価であるため経済的な負担が大きいために、専用機械を簡単に設置することは困難である。
専用機械を使用しないで、人手による結束、封印の作業を行うためには、時間がかかり、又、仕上がりが綺麗に出来ないなどの問題がある。
このため、コストが安く操作が簡単な書籍、雑誌等（不健全図書等）を封印して、店頭において容易に見られないようにするための、コストが安く操作が簡単な封印専用機械の実現が要望されている。
【課題を解決するための手段】
【０００５】
本発明は、上記の条例に対処し、上記の従来技術の課題を解決するために開発されたもので、書籍、雑誌等を封印するための粘着テープを一定の量だけ送り出す粘着テープ送り出し機構と、粘着テープをカッターによりカットし書籍、雑誌等に接着させて書籍、雑誌等の表紙と裏表紙の間をコの字型に均一に貼り封印する封印手段とを具備した雑誌、書籍等を封印する装置を実現することにより従来の問題を解決したものである。
本発明の装置は、正面の封印部に書籍、雑誌等を挿入する簡単な操作で書籍、雑誌等の表紙と裏表紙の全体或いは、1部を可擁性のある粘着テープにより自動的に封印するようにしているため、操作が簡単である。又本発明の装置が使用する粘着テープには、市販テープが使用でき、その構成が簡単なために経済的な負担が小さく、機械を簡単に設置することが可能である。
【発明の効果】
【０００６】
本発明の雑誌、書籍等を封印する装置は、市販の粘着テープで雑誌の封印が正確にでき、カッターと押さえローラーと押さえ金具と具備したされた封印機構の一回の往復摺導により雑誌の封印作業が完了するので、作業時間が短縮され、貼り口が綺麗になり、且つ、粘着テープの消耗が少ないなどの効果がある。
このため、東京都や都道府県において制定された青少年に悪影響を与える写真や絵が掲載されている書籍、雑誌等を店頭において容易に見られないような対策を施すことを義務付ける条例に対処するための装置として極めて有効である。
本発明の装置は、正面の封印部に書籍、雑誌等を挿入する簡単な操作で書籍、雑誌等の表紙と裏表紙の全体或いは、1部を可擁性のある粘着テープにより自動的に封印するようにしているため、操作が簡単である。又本発明の装置が使用する粘着テープは、市販のテープが使用でき、その構成が簡単なために経済的な負担が小さく、機械を簡単に設置することが可能である。
【発明を実施するための最良の形態】
【０００７】
以下に本発明の雑誌、書籍等を封印する装置の具体的な構成について図面を使用して詳細に説明する。
第１図は、本発明の雑誌、書籍等を封印する装置の一実施例の構成を示す側面図、図２は本発明の雑誌、書籍等を封印する装置の一実施例の封印機構部分の平面図である。
図1及び図２において、１は封印機構である。
封印機構１は、バネ板１１により支持された押さえローラー１２と、ローラー１２の上部に配置された上部押さえ金具１３と、押さえ金具１３上部に配置されたカッター１４とを備えている。
封印機構１のローラー１２はバネ板１１によって上下に撓むようになっている。又、押さえ金具１３はＵ字形に曲成した摩擦挟圧体で形成されている。
尚、バネ板１１により支持された押さえローラー１２は上部押さえ金具１３と同様の構成（下部押さえ金具）にすることも可能である。又、押さえ金具１３には押さえローラーを使用することも可能である。
２は、封印機構１が搭載されるスライド機構である。スライド機構２は、両端が固定されたガイドロッド２１，２２、と、封印機構１を搭載されるスライド２３よりなり、封印機構１がガイドロッド２１，２２に沿って水平移動可能に構成されている。
【０００８】
３は雑誌、書籍等をテーブル上に押圧固定するための押圧部材である。押圧部材３は封印機構１の両側
に対に配置され、その基部を軸３３で上下方向に回動できるように結合された一対の押圧金具３１，３２を持ち、封印機構１が一対の押圧金具３１，３２に沿って滑動できるように掛止されている。
３４は押圧部材３を下方に引張作用を与えるための引っ張りバネ、３５は引っ張りバネ３４の引張力を阻止するストッパーである。
４は封印機構１の駆動機構である。駆動機構４は、回転板４１と、回転板４１に結合軸４２を介して取り付けられた往復作動杆４３を持ち、往復作動杆４３を介して封印機構１を前後に移動する。尚、駆動機構４には、必ずしも回転板４１と往復作動杆４３を使用する必要は無く、エヤーシリンダー等の往復作動機構を使用することも可能である。
【０００９】
５は雑誌、書籍等を載置するためのテーブルである。テーブル５は、その先端部に雑誌、書籍等が所定の位置に置かれたことを検出するマイクロスイッチを使用した検出手段５１，５２が設けられ、且つその先端中央部には封印機構１に対峙する切欠き凹部が形成されている。
検出手段５１，５２のマイクロスイッチは、雑誌、書籍等をテーブル５上の所定の位置にセットするとスイッチがオンとなる。尚、検出手段５１，５２の検出素子は、マイクロスイッチに限定されるものではなく、光センサー等の雑誌、書籍等の位置を検出する機能を持った素子であれば良い。
６は封印機構１の上方に配置された可擁性のある粘着テープ６１の供給機構である。粘着テープの供給機構６は、封印開始前に、ロール巻きされた粘着テープ６１の先端部を封印機構１の前面に垂下させ、封印終了後に一定の長さ粘着テープを自動的に供給して封印機構１の前面に垂下させる機能を持っている。
７は粘着テープ６１により封印される雑誌、書籍等を示す。
【００１０】
上記のように構成された本発明の雑誌、書籍等を封印する装置の動作を図３乃至図６を使用して以下に説明する。
図３は、本発明の雑誌、書籍等を封印する装置の封印動作開始前の状態を示したものである。
図３に示すように、粘着テープ６１はテープ送り出し機構６より垂下して引き出され、テーブル５の下面に所定長の位置まで下降している。
雑誌７を封印する場合には、テーブル５上の封印を行うための所定の位置に雑誌７を置くと、検出手段５１，５２がこれを検出してマイクロスイッチがを作動し検出信号を発生する。
検出手段５１，５２より検出信号が発生されると、駆動機構４が動作を開始して、回転板４１を回転させることにより、回転板４１に結合軸４２を介して取り付けられた往復作動杆４３が前進し封印機構１がスライド機構２上をワークテーブル５上の雑誌７に向かって移動を開始し、これに伴い封印機構１は押圧部材３に沿って前進する。
【００１１】
押圧部材３は、封印機構１の前進でストッパー３５から解除され、引っ張りバネ３４の引張力で下方に引っ張られることによって、雑誌７をテーブル５の表面に押し付ける。
封印機構１の前進移動に伴い、先に封印機構１のローラー１２が雑誌７の下面の縁辺に接し、さらにバネ板１３に抗してわずかに下降しながら垂直方向に送り込まれている粘着テープ６１の下端部位をローラー１２によって雑誌７の下縁稜角辺から折って雑誌７の下部に貼り付ける。
続いて、封印機構１のカッター１４及び、押さえ金具１３が摺導し垂下した粘着テープ６１に張力を加え雑誌７の端面及び、上面に沿って粘着テープ６１を変形させる。この状態を図４に示す。
【００１２】
図４の状態から更に封印機構１が前進すると、張力が加えられて雑誌７の端面及び、上面に沿って変形させられた粘着テープ６１は、カッター１４にて切断され、切断され粘着テープ６１は押さえ金具１３により雑誌７の上面に均一に貼り付けられ封印作業が完了する。この時、駆動機構４の往復作動杆４３は、最前の位置（回転板４１が半回転した状態）にあり、粘着テープ６１は雑誌７にコ字形に跨がって貼着される。この状態を図５に示す
更に、駆動機構４の回転板４１の回転が進むと、往復作動杆４３は後退を開始し封印機構１を後方に引き戻し、
回転板１回転すると、封印機構が元の位置まで復帰する。この時、テープ送り出し機構６が働き、テープ６１を次位の粘着テープを所定長さで垂下することによって次の作動まで待機する。この状態を図６に示す。
封印作業が完了した雑誌７はテーブル５から取出され、１作動が終了する。
【００１３】
次の雑誌等の封印を行う場合には、テーブル５上に封印を行う雑誌等を上記と同様にセットすることにより、図３から図６に説明し動作が実行され封印作業が自動的に行われる。
尚、上記の実施例では、封印機構１が押圧部材３の押圧金具３１，３２に沿って滑動する構成について説明したが、封印機構１は必ずしも押圧金具３１，３２に沿って滑動する必要は無く、スライド機構２上をワークテーブル５と平行に雑誌７に対して往復運動を行うような構成として、装置の構造を簡略化することが可能である。但し、この場合には、雑誌７を封印する粘着テープ６１の長さが雑誌７の厚さにより多少変化することになる。
【００１４】
本発明の雑誌、書籍等を封印する装置は、雑誌、書籍等を封印するときに端縁辺の表裏を粘着テープで糊着し、表面のテープの長さが雑誌、書籍等の厚さが相違しても、裏表紙から表紙側に入り込む長さは常に一定の長さに設定することができる。これによって、雑誌、書籍等の厚さに関係なく常に一定の長さの粘着テープで封印することができる。しかも、雑誌、書籍等において、粘着テープの無駄の部分が少なくなり、比較的高価な粘着テープの使用量が節約できて経済的になる。
又。本発明の雑誌、書籍等を封印する装置は、正面の封印部に書籍、雑誌等を挿入する簡単な操作で書籍、雑誌等の表紙と裏表紙の全体或いは、1部を可擁性のある粘着テープにより自動的に封印するようにしているため、操作が簡単である。又本発明の装置が使用する粘着テープには、市販テープが使用でき、その構成が簡単なために経済的な負担が小さく、機械を簡単に設置することが可能である
【産業上の利用可能性】
【００１５】
本発明は、雑誌、書籍等の出版販売を行う各種の産業で利用可能である。
【図面の簡単な説明】
【００１６】
【図１】本発明の雑誌、書籍等を封印する装置の一実施例の構成を示す側面図である。
【図２】本発明の雑誌、書籍等を封印する装置の一実施例の封印機構部分の平面図である。
【図３】本発明の雑誌、書籍等を封印する装置の動作を説明する図である。
【図４】本発明の雑誌、書籍等を封印する装置の動作を説明する図である。
【図５】本発明の雑誌、書籍等を封印する装置の動作を説明する図である。
【図６】本発明の雑誌、書籍等を封印する装置の動作を説明する図である。
【符号の説明】
【００１７】
１・・・封印機構
１１・・・バネ板
１２・・・押さえローラー
１３・・・押さえ金具
１４・・・カッター
２・・・スライド機構
２１，２２・・・イドロッド２１，２２
２３・・・スライド
３・・・雑誌、書籍等をテーブル上に押圧固定するための押圧部材
３３・・・基部の軸
３１，３２・・・一対の押圧金具
３４・・・引っ張りバネ
３５・・・引っ張りバネ３４の引張力を阻止するストッパー
４・・・封印機構１の駆動機構
４１・・・駆動機構４の回転板
４２・・・回転板４１のに結合軸
４３・・・封印機構１を前後に移動する往復作動杆
５・・・雑誌、書籍等を載置するためのテーブル
５１，５２・・・雑誌、書籍等が所定の位置に置かれたことを検出する検出手段
６・・・粘着テープの供給機構
６１・・・粘着テープ
７・・・粘着テープ６により封印される雑誌、書籍等
【図１】
2006044738.tif 000003
【図２】
2006044738.tif 000004
【図３】
2006044738.tif 000005
【図４】
2006044738.tif 000006
【図５】
2006044738.tif 000007
【図６】
2006044738.tif 000008